(57)【要約】電気通信システムで使用する移動局は基地局から信号を受信するようにアレンジされる。信号は複数の伝達情報を含み、複数の伝達情報のうちの各伝達情報は、受信された信号から伝達情報を取り出すことを可能にさせる第１および第２の特性を有する。移動局はまた、上記第１および第２の特性を得るため使用される上記第１および第２の特性への参照情報を受信するようにアレンジされる。
2006514798.tif 000002
【特許請求の範囲】
【請求項１】
基地局から信号を受信するようにアレンジされ、前記信号が複数の伝送情報を備え、前記複数の伝送情報の各伝送情報が前記信号から前記伝送情報を取り出すことを可能にさせる第１の特性および第２の特性を有し、前記第１の特性および前記第２の特性への参照を受信し、前記参照を介して前記第１の特性および前記第２の特性を得るようにさらにアレンジされる、
電気通信システムにおいて使用するための移動局。
【請求項２】
前記第１の特性がミッドアンブル符号を備え、前記第２の特性が拡散符号を備える、請求項１に記載の移動局。
【請求項３】
前記第１の特性および前記第２の特性への前記参照が、前記第１の特性と前記第２の特性との間の関連性を定義するアソシエーションツリーへの参照である、請求項１に記載の移動局。
【請求項４】
前記アソシエーションツリーへの前記参照が、前記基地局と通信することができる移動局の最大台数を備える、請求項３に記載の移動局。
【請求項５】
前記第１の特性および前記第２の特性への前記参照が、前記第１の特性と前記第２の特性との間の関連の表現を備える、請求項１に記載の移動局。
【請求項６】
前記第１の特性への前記参照が、前記基地局と通信している実際の移動局の台数を備える、請求項１に記載の移動局。
【請求項７】
前記第１の特性への前記参照が、前記第１の特性の表現を備える、請求項１に記載の移動局。
【請求項８】
前記第１の特性の前記表現がバイナリワードを含み、前記バイナリワードの各ビットは、前記第１の特性が前記複数の伝送情報によって使用されるかどうかを示す、請求項７に記載の移動局。
【請求項９】
前記第１の特性および前記第２の特性への前記参照が、チャネルで送信される、請求項１に記載の移動局。
【請求項１０】
前記チャネルがブロードキャストチャネルである、請求項９に記載の移動局。
【請求項１１】
前記伝送情報が、マルチユーザ検出アルゴリズムを使用して前記複数の伝送情報から取り出される、請求項１に記載の移動局。
【請求項１２】
前記伝送情報が、ジョイント検出アルゴリズムを使用して前記複数の伝送情報から取り出される、請求項１に記載の移動局。
【請求項１３】
信号を移動局へ送信するようにアレンジされ、前記信号が複数の伝送情報を備え、前記複数の伝送情報の各伝送情報が前記信号から前記伝送情報を取り出すことを可能にさせる第１の特性および第２の特性を有し、前記第１の特性および前記第２の特性への参照を送信するようにさらにアレンジされ、前記参照を介して前記第１の特性および前記第２の特性を得ることが可能である、
電気通信システムにおいて使用するための基地局。
【請求項１４】
基地局から移動局への信号であって、第１の特性および第２の特性への参照を備え、前記第１の特性および前記第２の特性が前記移動局に受信された複数の伝送情報から伝送情報を取り出すことを可能にさせ、前記参照が前記移動局に前記第１の特性および前記第２の特性を取り出すことを可能にさせる、
信号。
【発明の詳細な説明】
【技術分野】
【０００１】
本発明は電気通信システムにおいて使用するための移動局に関する。本発明はさらに電気通信システムにおいて使用するための基地局と、基地局から移動局へ伝送する信号に関する。本発明の分野は、電気通信システムのようなものにおいて移動局による、ＵＴＲＡ−ＴＤＤのような電気通信システムと、特にジョイント検出またはマルチユーザ検出のような先進的な検出アルゴリズムの使用である。実際上、ジョイント検出またはマルチユーザ検出は、ＺＦ−ＢＬＥ（強制ゼロ−ブロック線形等価器）、ＰＩＰ（並列干渉キャンセル）、ＳＩＣ（逐次干渉キャンセル）のようなアルゴリズムの一般的な名称である。
【背景技術】
【０００２】
欧州特許第１１３７２０１Ａ１号は、通常は基地局側で実施されるジョイント検出のような先進的な検出アルゴリズムを移動局が使用できるようにする方法を開示する。このため、基地局は、その基地局と通信する移動局にそれぞれ割り当てられた伝送パラメータを表すワードを送信する。選択ユニットは、ワードＷに関していくつかのミッドアンブルを選択するため設けられることが開示されている。ワードＷは利用可能なミッドアンブルｍ（ｉ）の個数と同数の多数の要素を有するので、ワードＷのある要素ｗｉはあるミッドアンブルｍ（ｉ）に一義的に対応する。第１の要素は第１のミッドアンブルに対応し、第２の要素は第２のミッドアンブルに対応し、以下同様に続く。選択されたミッドアンブルのすべては、バーストＮの全体的なミッドアンブルを形成するため加算ユニットにおいて加算される。移動局側で、基本ミッドアンブル符号（ＢＭＣ）に基づく特殊シーケンスとの相関が実行され、選択されたミッドアンブルのすべての表現である受信語Ｗｒを生成する。
【発明の開示】
【発明が解決しようとする課題】
【０００３】
本発明の目的は、移動局が先進的な検出アルゴリズムを効率的に使用できるようにすることである。
【課題を解決するための手段】
【０００４】
この目的は、本発明によれば、上記移動局が基地局から信号を受信するようにアレンジされ、信号が複数の伝送情報を含み、上記複数の伝送情報の各伝送情報が上記信号から上記伝送情報を取り出すことを可能にさせる第１および第２の特性を有し、移動局が上記第１および第２の特性への参照情報を受信し、上記参照情報を介して上記第１および第２の特性を得るようにさらにアレンジされることによって実現される。本発明は、利用可能なミッドアンブル符号に基づくだけでは、先進的な検出アルゴリズムを移動局で効率的に使用できないという洞察に基づいている。
【０００５】
本発明の一実施形態において、上記第１の特性はミッドアンブル符号を備え、上記第２の特性は拡散符号を備える。これにより、移動局はブラインド（ｂｌｉｎｄ）な拡散符号検出に依存する必要がなく、それによって、移動局は受信された通信信号を可能性のあるすべての拡散符号と相関させなければならない。
【０００６】
本発明の別の実施形態によれば、上記第１および第２の特性への上記参照情報は上記第１の特性と上記第２の特性との間の関連性を定義するアソシエーションツリー（ａｓｓｏｃｉａｔｉｏｎ  ｔｒｅｅ）への参照情報である。第１の特性と第２の特性、たとえば、ミッドアンブル符号と拡散符号との間の関係は、３ＧＰＰ、すなわち、第３世代通信システムを策定する第３世代パートナーシップ・プログラムのような標準化委員会によって標準化された関係である。この関係は典型的にツリーの形式で定義され、たとえば、３ＧＰＰ  ＴＳ  ２５．２１１  Ｖ４．１．０のページ７２の図Ｂ．２．１を参照されたい。上記アソシエーションツリーに関する情報を提供することにより、移動局は、使用されるミッドアンブル符号がどれであるかが分かるだけでなく、そのミッドアンブル符号に関連付けられる拡散符号またはチャネル化符号がどれであるかが分かる。
【０００７】
本発明の一実施形態によれば、上記アソシエーションツリーへの上記参照情報は、上記基地局と通信することができる移動局の最大台数を含む。アソシエーションツリーに規定された関連性は、上記複数の伝送情報のうちの各伝送情報を符号化するため基地局によって使用される。しかし、複数のアソシエーションツリーが存在し、各アソシエーションツリーが上記基地局によって使用される。特定のツリーの選択は、電気通信システム内で必要とされるミッドアンブル符号、すなわち、上記第１の特性の個数に依存する。各移動局には単一かつ固有のミッドアンブル符号が割り当てられる。したがって、ミッドアンブル符号の個数は、上記基地局と通信可能である移動局の台数と一致する。そういう理由から、上記基地局と通信することができる移動局の台数から使用されたアソシエーションツリーを決定することが可能である。
【０００８】
本発明の一実施例によれば、上記第１および第２の特性への上記参照情報は、上記第１の特性と上記第２の特性との間の関連の表現を含む。殆どの場合に、上記第１の特性と上記第２の特性との間には一対一の関係があるが、上記第１の特性に複数の第２の特性を、すなわち、複数の拡散符号を関連付けることも同様に可能である。これは、たとえば、移動局がより高い伝送能力を必要とする場合である。移動局が上記第１の特性と上記第２の特性との間の一対多の関係に関する付加情報をもたないならば、移動局は上記伝送情報によって使用されている第２の特性を検出するためブラインド符号検出に依存することが必要である。考えられる一対多の関係だけに対して上記第１の特性と上記第２の特性との間の関係を定義することにより、ブラインド符号検出は回避され、同時に、限定された量の付加情報だけが移動局へ送信されるべきである。
【０００９】
本発明の別の実施形態によれば、上記第１の特性への上記参照情報は、上記基地局と通信している実際の移動局の台数を含む。このパラメータは一種の質指標として役立つが、その理由は、上記複数の伝送情報のうちの各伝送情報には単一の上記第１の特性だけが割り当てられているので、上記基地局と通信する移動局の台数が第１の特性の個数と一致しなければならないからである。
【００１０】
本発明の一実施形態によれば、上記第１の特性への上記参照情報は上記第１の特性の表現を備える。上記第１の特性の表現を提供することにより、移動局は、受信された信号を基本ミッドアンブル符号と相関させることにより、最初に上記第１の特性の表現を獲得しなければならない中間ステップを省くことが可能である。したがって、この実施形態は、伝搬チャネルがフラットローリーフェーディング（ｆｌａｔ  Ｒａｌｅｉｇｈ  ｆａｄｉｎｇ）のマルチパスのような劣化効果の影響を受けるならば、より効率的であり、かつ、特に誤りを生じる傾向がより少ない。
【発明を実施するための最良の形態】
【００１１】
本発明の上記態様およびその他の態様は添付図面を用いてさらに説明される。
【００１２】
図１はＵＴＲＡ−ＴＤＤに基づく電気通信システムを表す。移動局ＭＳ１、ＭＳ２およびＭＳ３と通信する基地局１０が表されている。各移動局は、基地局によって送信された同一の信号Ｓ１を受信する。Ｓ１は、移動局ＭＳ１、ＭＳ２およびＭＳ３のそれぞれへ向けられた複数の伝送情報を備え、移動局はその情報の中の専用部分だけを取り出すことができる。この目的のために、各移動局には固有ミッドアンブル符号と少なくとも１個の拡散符号とが割り当てられる。システム全体の性能を高めるため、移動局ＭＳ１、ＭＳ２およびＭＳ３は、マルチユーザ検出またはジョイント検出のような先進的な検索アルゴリズムを使用してもよい。これは、基地局が使用可能な状態のミッドアンブル符号および関連付けられた拡散コードに関して移動局ＭＳ１、ＭＳ２およびＭＳ３へ通知することを必要とする。
【００１３】
図２は、アンテナ３と、信号Ｓ１を受信する手段５とを有する移動局１を表す。受信された信号Ｓ１は、各伝送情報の第１および第２の特性を使用する先進的な検出アルゴリズムを用いて、複数の伝送情報から各伝送情報を取り出す手段７へ供給される。手段９は第１および第２の特性への参照情報を受信するようにアレンジされ、手段１１はその参照情報から第１および第２の特性を決めることができる。次に、手段１１は、先進的な検出アルゴリズムによって使用できるように第１および第２の特性を手段７へ供給する。
【００１４】
図３は、ミッドアンブルと（１または複数の）拡散符号との間の関係を定義するアソシエーションツリーの一実施例を表す図である。この実施例は、３ＧＰＰ技術仕様書ＴＳ  ２５．２２１バージョンＶ４．１．０（２００１−０６）から選ばれた。図３は、基地局と通信できる移動局の最大台数が１４台（Ｋ＝１４）である場合に使用されるアソシエーションツリーである。殆どの場合に、ミッドアンブルと拡散符号との間には一意の関係があることに注意すべきである。しかし、移動局がより高い伝送能力を必要とするならば、複数の拡散符号と関連付けることができるミッドアンブルをその移動局に割り当てることが可能である。図３では、たとえば、ミッドアンブルｍ（１３）は、２個の拡散符号、すなわち、ｃ１６（１４）、ｃ１６（１３）と関連付けられるので、必要に応じて伝送能力を２倍にする。
【００１５】
図４は本発明による符号語の第１の実施形態を表す図である。符号語は二つの部分により構成される。第１部分３０は基地局１０と通信できる移動局の最大台数（Ｋ）を規定する。一例として、第１部分３０は４ビット幅である。移動局の最大台数はシステムによって使用されているアソシエーションツリーを規定する。アソシエーションツリーが識別されると、ミッドアンブルと拡散符号との間に存在する関係が分かる。第２部分３２は使用可能状態（アクティブ）のミッドアンブルを規定する。使用可能状態のミッドアンブルの個数は使用可能状態の移動局の台数と同数である。Ｘｉが１に等しいことは、ミッドアンブルｍ（ｉ）が存在することを示す。一例として、第２部分は１６ビット幅である。使用可能状態であるミッドアンブルの定義のため使用されない１６ビットの残りの部分は、拡散符号とミッドアンブル符号との間の関係が曖昧である場合に、この関係を明確にするため使用される。たとえば、Ｋ＝１６であるならば（ここでは図示されない）、この場合には、各ミッドアンブルは単一の拡散符号と関連付けられるので、曖昧さは存在しない。しかし、Ｋ＝１４であるならば、ｍ（１３）はｃ１６（１４）またはｃ１６（１４）およびｃ１６（１３）に割り当てられ、ｍ（１４）はｃ１６（１６）またはｃ１６（１６）およびｃ１６（１６）に割り当てられる。Ｘ１５が０に一致することはｍ（１３）がｃ１６（１４）に割り当てられることを意味し、Ｘ１５が１に一致することはｃ１６（１４）およびｃ１６（１３）がｍ（１３）に割り当てられることを意味すると定義することによって、ミッドアンブル符号と拡散符号との間の関係は明瞭に規定される。同様に、Ｘ１６が０に一致することはｍ（１４）がｃ１６（１６）に割り当てられることを意味し、Ｘ１６が１に一致することはｃ１６（１６）およびｃ１６（１５）がｍ（１４）に割り当てられることを意味すると定義することによって、対応するミッドアンブル符号もまた明瞭に規定される。明らかに、他の因子Ｋ（移動局の最大台数）に対する関連性が同じ方法を用いて符号化される。
【００１６】
図５は本発明による第２の実施形態を表す。この場合、語は三つの部分により構成される。第１部分４０は、基地局１０と通信する移動局の最大台数を規定する。この場合もこの情報はシステムによって使用されているアソシエーションツリーを決めるために必要である。第２部分４２は基地局１０と通信している移動局の台数を規定する。実際上、この台数は基地局１０と通信可能である移動局の最大台数よりも少ない。第３部分４４は、ミッドアンブル符号と拡散符号との間の関係が曖昧である場合にこの関係を規定する。たとえば、Ｋ＝１４の場合、これは、Ｘ１が０に等しいならば、ｍ（１４）はｃ１６（１６）に割り当てられ、Ｘ１が１に等しいならば、ｃ１６（１６）およびｃ１６（１５）はｍ（１４）に割り当てられることを意味する。同様に、Ｘ２が０に等しいならば、ｍ（１３）はｃ１６（１４）に割り当てられ、Ｘ１が１に等しいならば、ｃ１６（１４）およびｃ１６（１３）はｍ（１３）に割り当てられる。しかし、ミッドアンブルは、依然として、受信されたデータをアソシエーションツリーに定義されたすべてのミッドアンブルと相関させることによって検出されなければならない。明らかに、他の因子Ｋ（移動局の最大台数）に対する関連性が同じ方法を用いて符号化される。
【００１７】
図６は符号語の第２の実施形態による符号語に対するミッドアンブルおよび関連付けられた拡散符号を検出するミッドアンブル検出装置を一例として表す図である。受信された信号はベースバンドレシーバ５０によって処理される。ベースバンドレシーバの第１の出力は情報検出ユニット５２に接続され、このユニットは符号語の第１部分、第２部分および第３部分を復号化する。ユーザの最大数（Ｋ）を表す第１部分は、Ｋ個のミッドアンブルを発生させるように設計されたミッドアンブル発生器５４へ供給される。発生されたミッドアンブルのそれぞれはミッドアンブル相関器のうちの１台の第１の入力へ供給される。ベースバンドレシーバの第２の出力はさらにミッドアンブル相関器５６のそれぞれに接続される。相関器５６のそれぞれの出力はセレクタに接続される。ミッドアンブルｍ（ｉ）を検出するミッドアンブル相関器ｉはこのミッドアンブルが実際に使用されるならば、ｍ（ｉ）だけを検出することを理解する必要がある。しかし、マルチパスフェーディングのような妨害効果が原因となって、すべての場合においてミッドアンブルの正確な個数を検出できない可能性がある。しかし、ユーザの実際の数に関する情報（第２部分）を選択ユニット５８へ送ることにより、実際のミッドアンブルが確実に決定される。ミッドアンブルの拡散符号へのマッピングは関連性マッピング６０によって行われる。このため、符号語の第３部分はアプリケーションマッピング６０の入力へ供給される。
【００１８】
上記の実施形態は本発明を制限するものではなく、当業者は請求項に記載された事項の範囲から逸脱することなく多数の代替的な実施形態を設計可能であることに注意すべきである。語「含む、備える（ｃｏｍｐｒｉｓｉｎｇ）」は請求項に列挙されていない要素またはステップの存在を排除するものではない。要素の前に置かれた冠詞（「ａ」または「ａｎ」）はこのような要素の複数の存在を排除するものではない。ある種の手段が相互に異なる従属請求項で引用されているという単なる事実はこれらの手段を組み合わせて使用しても有利ではないということを示唆するものではない。
【図面の簡単な説明】
【００１９】
【図１】本発明による電気通信システムを表す図である。
【図２】本発明による移動局を表す図である。
【図３】３ＧＰＰ  ＴＳ  ２５．２１１  Ｖ４．１．０（２００１−０６）に準拠したミッドアンブルと拡散符号との間のアソシエーションツリーの一実施例を表す図である。
【図４】本発明による符号語の第１の実施形態を表す図である。
【図５】本発明による符号語の第２の実施形態を表す図である。
【図６】使用されたミッドアンブルおよび使用された拡散符号と使用されたミッドアンブルとの間の関連性を決めるハイブリッド方法のブロック図である。
【符号の説明】
【００２０】
１０  基地局
ＭＳ１〜ＭＳ３  移動局
１  移動局
３  アンテナ
５、７、９、１１  手段
５０  ベースバンドレシーバ
５２  情報検出ユニット
５４  ミッドアンブル発生器
５６  ミッドアンブル相関器
５８  選択ユニット
６０  関連性マッピング
【図１】
2006514798.tif 000003
【図２】
2006514798.tif 000004
【図３】
2006514798.tif 000005
【図４】
2006514798.tif 000006
【図５】
2006514798.tif 000007
【図６】
2006514798.tif 000008
【国際調査報告】
2006514798.tif 000009
2006514798.tif 000010